(57)【要約】【課題】高輝度の画像光、および色合い等の画像品質を向上した画像光の投写を容易に切り換えるプロジェクターを提供する。【解決手段】プロジェクターは、画像光のうち少なくとも一部の波長領域の光を弱めるための光学フィルター５２、および光学フィルター５２に並設され、画像光を遮蔽するための遮蔽部５１を有し、屈曲可能なレンズカバー５を備える。レンズカバー５は、投写用開口部２１１を開放する開放状態、光学フィルター５２で投写用開口部２１１を閉塞する第１閉塞状態、および遮蔽部５１で投写用開口部２１１を閉塞する第２閉塞状態が切り換え可能に構成されている。【選択図】図４
2010217489.tif 000002
【特許請求の範囲】
【請求項１】
光源から射出された光束を画像情報に応じて変調し、画像光を形成する電気光学装置と、前記画像光を投写する投写レンズと、前記電気光学装置および投写レンズを内部に収納し、前記画像光が通過する投写用開口部を有する外装筐体とを備えたプロジェクターであって、
前記画像光のうち少なくとも一部の波長領域の光を弱めるための光学フィルター、および前記光学フィルターに並設され、前記画像光を遮蔽するための遮蔽部を有し、屈曲可能なレンズカバーを備え、
前記レンズカバーは、前記投写用開口部を開放する開放状態、前記光学フィルターで前記投写用開口部を閉塞する第１閉塞状態、および前記遮蔽部で前記投写用開口部を閉塞する第２閉塞状態が切換え可能に構成されていることを特徴とするプロジェクター。
【請求項２】
請求項１に記載のプロジェクターであって、
前記レンズカバーは、前記光学フィルターを保持するフィルター保持部を備え、
前記遮蔽部および前記フィルター保持部は、回動可能に連結されていることを特徴とするプロジェクター。
【請求項３】
請求項１に記載のプロジェクターであって、
前記遮蔽部および前記光学フィルターの少なくとも一方は、可撓性を有する部材で形成されていることを特徴とするプロジェクター。
【請求項４】
請求項１〜請求項３のいずれか一項に記載のプロジェクターであって、
前記第１閉塞状態および前記第２閉塞状態のうち、少なくとも前記第２閉塞状態を検知する検知部を有していることを特徴とするプロジェクター。
【発明の詳細な説明】
【技術分野】
【０００１】
本発明は、画像光を投写するプロジェクターに関する。
【背景技術】
【０００２】
従来、光源から射出された光束を画像情報に応じて変調して画像光を形成し、その画像光をスクリーン等に投写するプロジェクターが知られている。プロジェクターは、企業内でのプレゼンテーションや、家庭内での映画鑑賞等の種々の用途に用いられている。多くのプロジェクターは、画像の内容、あるいは明るい環境下や暗い環境下に適した画像光を投写できるように明るさや色合い等が異なる複数のモード（カラーモード）が設定されている。そして、使用者は、操作パネルやリモコンを操作してそのカラーモードを選択することが可能になっている（例えば、特許文献１参照）。
【０００３】
特許文献１に記載のプロジェクターは、使用者が操作パネル（入力操作部）あるいはリモコンの操作によって、スクリーン上にＯＳＤ（オンスクリーンディスプレイ）画像を表示させ、操作パネルやリモコンの方向キーや決定キーを順次操作しながら複数のメニュー画像を選択した後、カラーモードのメニューにて所望のカラーモードを選択するようになっている。
【先行技術文献】
【特許文献】
【０００４】
【特許文献１】特開２００７−７２１５０号公報
【発明の概要】
【発明が解決しようとする課題】
【０００５】
しかしながら、特許文献１に記載のプロジェクターは、様々なカラーモードを選択できるとはいうものの、プロジェクターの操作に不慣れな使用者にとっては、操作パネルやリモコンを操作して所望するカラーモードを選択することが煩雑になるという課題がある。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターは、光源から射出された光束を画像情報に応じて変調し、画像光を形成する電気光学装置と、前記画像光を投写する投写レンズと、前記電気光学装置および投写レンズを内部に収納し、前記画像光が通過する投写用開口部を有する外装筐体とを備えたプロジェクターであって、前記画像光のうち少なくとも一部の波長領域の光を弱めるための光学フィルター、および前記光学フィルターに並設され、前記画像光を遮蔽するための遮蔽部を有し、屈曲可能なレンズカバーを備え、前記レンズカバーは、前記投写用開口部を開放する開放状態、前記光学フィルターで前記投写用開口部を閉塞する第１閉塞状態、および前記遮蔽部で前記投写用開口部を閉塞する第２閉塞状態が切換え可能に構成されていることを特徴とする。
【０００８】
この構成によれば、プロジェクターは、光学フィルターおよび遮蔽部を有するレンズカバーを備えている。そして、レンズカバーは、開放状態、第１閉塞状態および第２閉塞状態が切換え可能に構成されている。これによって、プロジェクターは、開放状態にて投写レンズから投写された画像光（以下「投写画像光」という）を減光することなくそのままの明るさを有して投写し、第１閉塞状態にて投写画像光を赤、緑、青の各色光の強度バランスが所望の強度となるように調整して投写することが可能となる。
【０００９】
例えば、赤色光や緑色光の成分の強度が高い光束が光源から射出された際に、投写画像光は、赤色光や緑色光の成分の強度が高くなるが、光学フィルターとして、赤色光や緑色光の成分の強度を弱める光学フィルターを用いることで、プロジェクターは、投写画像光を赤、緑、青の各色光の強度バランスが所望の強度となる画像光として投写することが可能となる。つまり、プロジェクターは、レンズカバーが開放状態と第１閉塞状態とが切り換えられることによって、高輝度の画像光、および色合い等の画像品質を向上した画像光の投写ができる。よって、使用者は、操作パネル等によって複雑な操作を行うことなく、容易に画像の内容や視聴環境下に適した画像光に切り換えて投写させることが可能となり、利便性の向上が図れる。
【００１０】
また、レンズカバーは、光学フィルターおよび遮蔽部が並設され、屈曲可能に構成されている。これによって、レンズカバーは、第１閉塞状態において遮蔽部が屈曲されたり、第２閉塞状態において光学フィルターが屈曲されたりすることによって、外装筐体内にスペース効率よく配置されることが可能となる。よって、プロジェクターは、大型化が抑制されてこのレンズカバーを配置することが可能となる。
【００１１】
［適用例２］上記適用例に係るプロジェクターにおいて、前記レンズカバーは、前記光学フィルターを保持するフィルター保持部を備え、前記遮蔽部および前記フィルター保持部は、回動可能に連結されていることが好ましい。
【００１２】
この構成によれば、光学フィルターを保持するフィルター保持部と遮蔽部とは、回動可能に連結されているので、光学フィルターおよび遮蔽部は、互いに滑らかに屈曲されることが可能となる。よって、レンズカバーは、第１閉塞状態において遮蔽部が屈曲されたり、第２閉塞状態において光学フィルターが屈曲されたりする際に、適正な操作力でそれぞれの状態が切り換えられることが可能となり、使用者の操作性向上が図れる。
【００１３】
［適用例３］上記適用例に係るプロジェクターにおいて、前記遮蔽部および前記光学フィルターの少なくとも一方は、可撓性を有する部材で形成されていることが好ましい。
【００１４】
この構成によれば、遮蔽部および光学フィルターの少なくとも一方は、可撓性を有する部材で形成されている。これによって、遮蔽部が可撓性を有する部材で形成されている場合には、第１閉塞状態において遮蔽部を撓ませて屈曲させることができ、光学フィルターが可撓性を有する部材で形成されている場合には、第２閉塞状態において光学フィルターを撓ませて屈曲させることができる。よって、簡素な構成でレンズカバーを屈曲可能となるように構成することができる。したがって、プロジェクターは、大型化が抑制されると共に、製造工数や部品コストの増加を抑制してこのレンズカバーを搭載することが可能となる。
【００１５】
［適用例４］上記適用例に係るプロジェクターにおいて、前記第１閉塞状態および前記第２閉塞状態のうち、少なくとも前記第２閉塞状態を検知する検知部を有していることが好ましい。
【００１６】
この構成によれば、プロジェクターは、少なくとも第２閉塞状態を検知する検知部を有しているので、遮蔽部が投写用開口部を閉塞した際に、光源の光量を低減して省電力化を図ったり、暗い画像光、例えば全黒の画像光を投写する状態にしてレンズカバーの温度上昇の抑制を図ったりすることができる。また、第１閉塞状態を検知するように構成した場合、プロジェクターは、光学フィルターに対応する画像信号の出力が可能となるので、さらに画像品質を向上した画像光の投写が可能となる。
【図面の簡単な説明】
【００１７】
【図１】第１実施形態のプロジェクターの外観を示す斜視図。
【図２】第１実施形態のプロジェクターの概略構成を示す模式図。
【図３】第１実施形態のレンズカバーを模式的に示す平面図。
【図４】第１実施形態のレンズカバーの動作を説明するための模式図であり、（ａ）は、開放状態を示す図、（ｂ）は、第１閉塞状態を示す図、（ｃ）は、第２閉塞状態を示す図。
【図５】第２実施形態のレンズカバーを模式的に示す平面図。
【図６】第２実施形態のレンズカバーの動作を説明するための模式図であり、（ａ）は、開放状態を示す図、（ｂ）は、第２閉塞状態を示す図、（ｃ）は、第１閉塞状態を示す図。
【発明を実施するための形態】
【００１８】
（第１実施形態）
以下、第１実施形態に係るプロジェクターについて、図面を参照して説明する。
本実施形態のプロジェクターは、光源から射出された光束を画像情報に応じて変調して画像光を形成し、その画像光をスクリーン等に拡大投写する。
図１は、本実施形態のプロジェクターの外観を示す斜視図である。図２は、本実施形態のプロジェクターの概略構成を示す模式図である。なお、以下においては、説明の便宜上、プロジェクターから画像光が投写される方向を前方向（＋Ｙ方向）、Ｙ方向に直交し、図１の図面視における右側を右方向（＋Ｘ方向）、Ｘ方向およびＹ方向に直交し、図１の図面視における上側を上方向（＋Ｚ方向）として記載する。
【００１９】
プロジェクター１は、図１、図２に示すように、本体が外装筐体２で囲まれた構成になっている。そして、外装筐体２内には、制御部（図示せず）、光源３１１を有する光学ユニット３、レンズカバー５、検知部としての押圧スイッチ８１，８２、光源３１１や制御部に電力を供給する電源装置ＰＳ、およびプロジェクター１内部を冷却する冷却ファン（図示せず）等が配置されている。
【００２０】
外装筐体２は、合成樹脂製であり、図１に示すように、上部を構成するアッパーケース２１、下部を構成するロアーケース２２等を備えており、これらは、ネジ等により固定されている。
【００２１】
図１に示すように、アッパーケース２１の前面２１Ａには、前方（＋Ｙ方向）から見て矩形状に開口する投写用開口部２１１が形成されており、この投写用開口部２１１の内側には、光学ユニット３に備えられた投写レンズ３６が配置されている。そして、投写レンズ３６から投写された画像光（投写画像光）は、この投写用開口部２１１を通過して前方に投写される。
また、投写レンズ３６前方のアッパーケース２１の内側には、レンズカバー５が配置され、投写用開口部２１１は、このレンズカバー５が移動されることによって、開閉される。レンズカバー５については、後で詳細に説明する。
【００２２】
アッパーケース２１の上面２１Ｂには、投写用開口部２１１近傍に開口部２１２が形成されている。開口部２１２は、左右方向（±Ｘ方向）が長手方向となるスリット状に形成されており、この開口部２１２からレンズカバー５の操作部５５が突出している。アッパーケース２１の上面２１Ｂには、開口部２１２の後方（−Ｙ方向）に開口部２１３が形成されており、この開口部２１３から投写レンズ３６のフォーカス調整およびズーム調整の操作を行うレバーが露出している。
【００２３】
また、上面２１Ｂには、開口部２１３後方に複数の開口部が設けられており、この開口部から操作パネル９の各キーが露出している。操作パネル９は、プロジェクター１の各種設定を行うためのメニュー画像の表示／非表示を切り換えるメニューキー、入力ソースを切り換えるソース切換えキー等、各種指示を行うための複数のキー等を備えている。
【００２４】
制御部は、ＣＰＵ（Central Processing Unit）やＲＯＭ（Read Only Memory）、ＲＡＭ（Random Access Memory）等を備え、コンピューターとして機能するものであり、プロジェクター１の動作の制御、例えば、画像の投写に関わる制御等を行う。
【００２５】
光学ユニット３は、制御部による制御の下、光源３１１から射出された光束を光学的に処理し、画像情報に応じた画像光を形成して投写する。
光学ユニット３は、図２に示すように、光源装置３１、照明光学装置３２、色分離光学装置３３、リレー光学装置３４、電気光学装置３５、投写レンズ３６およびこれら各光学部品３１〜３６を所定位置に配置する光学部品用筐体３７を備える。
【００２６】
光源装置３１は、超高圧水銀ランプやメタルハライドランプ等からなる放電型の光源３１１およびリフレクター３１２等を備える。そして、光源装置３１は、光源３１１から射出された光束をリフレクター３１２によって射出方向を揃え、照明光学装置３２に向けて射出する。
【００２７】
照明光学装置３２は、第１レンズアレイ３２１、第２レンズアレイ３２２、偏光変換素子３２３、重畳レンズ３２４を備え、光源３１１から射出された光束を後述する液晶パネル３５２の画像形成領域を略均一に照明するように光学的に処理する。
【００２８】
色分離光学装置３３は、２枚のダイクロイックミラー３３１，３３２、および反射ミラー３３３を備え、照明光学装置３２から射出された光束を赤色光（以下「Ｒ光」という）、緑色光（以下「Ｇ光」という）、青色光（以下「Ｂ光」という）の３色の色光に分離する機能を有する。
【００２９】
リレー光学装置３４は、入射側レンズ３４１、リレーレンズ３４３、および反射ミラー３４２，３４４を備え、第２のダイクロイックミラー３３２を透過したＲ光をＲ光用の液晶パネル３５２Ｒまで導く機能を有する。なお、光学ユニット３は、リレー光学装置３４がＲ光を導く構成としているが、これに限らず、例えば、Ｂ光を導く構成としてもよい。
【００３０】
電気光学装置３５は、入射側偏光板３５１、光変調装置としての液晶パネル３５２、射出側偏光板３５３、色合成光学装置としてのクロスダイクロイックプリズム３５４を備え、色分離光学装置３３から射出された各色光を画像情報に応じて変調して画像光を形成する。
【００３１】
投写レンズ３６は、複数のレンズを組み合わせた組レンズとして構成され、電気光学装置３５にて形成された画像光をスクリーン上に拡大投写する。
【００３２】
レンズカバー５について、詳細に説明する。
図３は、レンズカバー５を模式的に示す平面図であり、外装筐体２に配置された状態を前方から見た図である。
レンズカバー５は、図３に示すように、遮蔽部５１および光学フィルター５２を備え、左右方向（±Ｘ方向）にスライド移動可能に構成されている。そして、レンズカバー５は、スライド移動されることによって、投写用開口部２１１を開放する開放状態、光学フィルター５２で投写用開口部２１１を閉塞する第１閉塞状態、および遮蔽部５１で投写用開口部２１１を閉塞する第２閉塞状態が切り換えられる。
【００３３】
具体的に、レンズカバー５は、図３に示すように、遮蔽部５１、光学フィルター５２に加えてフィルター保持部５３および連結ピン５４を備えている。
遮蔽部５１は、投写画像光を遮蔽可能な合成樹脂製で、板状の遮蔽本体部５１１、および筒状部５１２を有している。遮蔽本体部５１１は、投写用開口部２１１を覆うことが可能な面積を有し、前方から見て矩形状に形成され、上端部には、上方に突出する操作部５５が形成されている。
筒状部５１２は、遮蔽本体部５１１の右端に設けられており、上下方向（±Ｚ方向）に伸びる中心軸ＣＬを同軸とし、所定の間隔を有して複数設けられている。
【００３４】
光学フィルター５２は、板状の光学部品で矩形状に形成されており、投写画像光のうち少なくとも一部の波長領域の光を弱める機能を有している。本実施形態の光学フィルター５２は、投写画像光のうち強度が高い波長領域の赤色光および緑色光の成分の強度を弱め、赤、緑、青の各色光の強度バランスが所望の強度バランスに調整されるような機能を有している。
【００３５】
フィルター保持部５３は、合成樹脂製で、光学フィルター５２の外周を保持するように枠状に形成され、中央部には、投写画像光が通過可能な大きさの貫通孔５３１が設けられている。光学フィルター５２は、貫通孔５３１を覆い、外周縁部がフィルター保持部５３に粘着剤を介して取り付けられている。フィルター保持部５３の左側端部には、上下方向に伸びる中心軸を同軸とし、所定の間隔を有して形成された筒状部５３２が複数設けられている。この筒状部５３２は、遮蔽部５１の中心軸ＣＬを同軸とし、筒状部５１２と交互に並んで配置されるように形成されている。また、フィルター保持部５３の上端右側には、上方に向かって突出する円柱状の案内ピン５３３が形成されている。
【００３６】
連結ピン５４は、遮蔽部５１とフィルター保持部５３とを回動可能に連結する。具体的に、連結ピン５４は、金属製で円柱状に形成され、図３に示すように、遮蔽部５１がフィルター保持部５３の左方に位置した状態で、筒状部５１２および筒状部５３２に挿通される。そして、遮蔽部５１およびフィルター保持部５３は、この連結ピン５４を中心に互いに回動可能になっている。つまり、フィルター保持部５３に保持されている光学フィルター５２と遮蔽部５１とは、屈曲可能に並設されている。
レンズカバー５は、遮蔽部５１および光学フィルター５２がアッパーケース２１の前面部分の内側に対向し、操作部５５が開口部２１２に挿通されてアッパーケース２１の内側に配置される。そして、レンズカバー５は、図示しない外装筐体２に設けられたガイドに沿って移動される。
【００３７】
押圧スイッチ８１，８２は、レンズカバー５の第１閉塞状態および第２閉塞状態のそれぞれの位置を検知し、検知信号を制御装置に出力する。押圧スイッチ８１，８２は、レバーを有して構成され、レバーが押圧されるとオン状態となり、検知信号が出力され、レバーの押圧が解除されるとオフ状態となり、検知信号は出力されない。図２に示すように、押圧スイッチ８１は、投写レンズ３６の＋Ｘ方向に配置され、押圧スイッチ８２は、押圧スイッチ８１の＋Ｘ方向に配置されている。
【００３８】
ここで、レンズカバー５の動作について説明する。
図４は、レンズカバー５の動作を説明するための模式図であり、レンズカバー５近傍のプロジェクター１を上方から見た図である。具体的に、図４（ａ）は、開放状態を示す図、図４（ｂ）は、第１閉塞状態を示す図、図４（ｃ）は、第２閉塞状態を示す図である。なお、図４は、各構成要素を図面上で認識され得る程度の大きさとするため、各構成要素の寸法や比率を実際のものとは適宜異ならせてある。
【００３９】
レンズカバー５は、図４（ａ）に示すように、開放状態において、光学フィルター５２が遮蔽部５１の右方（＋Ｘ方向）に位置し、光学フィルター５２および遮蔽部５１が左右方向に沿う状態で投写用開口部２１１の左方（−Ｘ方向）に配置される。そして、投写レンズ３６から投写された画像光は、減光されることなくそのままの明るさを有して投写される。つまり、投写画像光は、明るい環境下での視聴に適する画像光として投写される。この開放状態において、押圧スイッチ８１，８２は、オフ状態となっており、検知信号は出力されない。
【００４０】
レンズカバー５は、使用者の操作によって、光学フィルター５２が投写用開口部２１１を閉塞する状態まで右方（＋Ｘ方向）にスライド移動されると、図４（ｂ）に示すように、第１閉塞状態となる。この第１閉塞状態において、押圧スイッチ８１は、レバーがフィルター保持部５３によって押圧されてオン状態となり、検知信号を制御装置に出力する。押圧スイッチ８２は、レバーが押圧されずにオフ状態が維持され、検知信号は出力されない。制御部は、押圧スイッチ８１からの検知信号のみを受け取ると、画像品質を向上させるための画像信号、例えば、光学フィルター５２に対応する予め設定されたガンマ補正値を出力させる制御を行う。そして、投写画像光は、光学フィルター５２および制御部の制御によって、色合い等の画像品質が向上され、暗い環境下での映画鑑賞等に適した画像光として投写される。
【００４１】
レンズカバー５は、第１閉塞状態からさらに右方（＋Ｘ方向）にスライド移動されると、案内ピン５３３がアッパーケース２１に設けられた案内溝（図示せず）に案内され、フィルター保持部５３は、連結ピン５４を中心に回動しながら右端部が徐々に後方（−Ｙ方向）に移動する。つまり、フィルター保持部５３および光学フィルター５２は、遮蔽部５１に対して、屈曲されつつ遮蔽部５１と共に移動される。そして、レンズカバー５は、遮蔽部５１が投写用開口部２１１を閉塞する状態までスライド移動されると、図４（ｃ）に示すように、第２閉塞状態となる。この第２閉塞状態において、フィルター保持部５３および光学フィルター５２は、遮蔽部５１に対して最も屈曲された状態となり、屈曲されずに移動された場合（図４（ｃ）における仮想フィルター保持部１５３）に比べて、右方向が距離Ｌ短く配置されている。
【００４２】
押圧スイッチ８１，８２は、第２閉塞状態において、レバーがフィルター保持部５３によって押圧されてそれぞれオン状態となって検知信号を制御装置に出力する。制御部は、押圧スイッチ８１，８２からのそれぞれの検知信号を受け取ると、例えば、光源装置３１の光量を低減したり、全黒の画像光を投写したりする制御を実施する。そして、投写画像光は、遮蔽部５１によって遮蔽される。
【００４３】
レンズカバー５は、第２閉塞状態から左方（−Ｘ方向）にスライド移動されると、光学フィルター５２が屈曲された状態から光学フィルター５２および遮蔽部５１が左右方向に沿う状態となって第１閉塞状態、開放状態の順で切り換えられる。
このように、レンズカバー５は、遮蔽部５１および光学フィルター５２が互いに屈曲可能に並設され、スライド移動されることによって、開放状態、第１閉塞状態および第２閉塞状態が切り換えられる。そして、レンズカバー５０は、第２閉塞状態において、光学フィルター５２が屈曲されて配置される。
【００４４】
以上説明したように、本実施形態のプロジェクター１によれば、以下の効果を得ることができる。
（１）レンズカバー５は、遮蔽部５１と光学フィルター５２とを備え、開放状態、第１閉塞状態、および第２閉塞状態が切換え可能に構成されている。これによって、使用者は、操作パネル等によって複雑な操作を行うことなく、容易に高輝度の画像光、および色合い等の画像品質が向上された画像光を切り換えて、つまり画像の内容や視聴環境下に適した画像光に切り換えて投写させることができ、利便性の向上が図れる。
【００４５】
（２）レンズカバー５は、光学フィルター５２および遮蔽部５１が並設され、屈曲可能に構成されているので、屈曲されない構成に比べて、プロジェクター１の左右方向の大きさを小さく構成できる。よって、プロジェクター１は、大型化が抑制されて効率良くレンズカバー５を配置することが可能となる。
【００４６】
（３）使用者は、操作部５５を把持し、レンズカバー５をスライド移動させるだけで、開放状態、第１閉塞状態、および第２閉塞状態を切り換えることができるので、操作性が良好なレンズカバー５を提供することが可能となる。また、フィルター保持部５３と遮蔽部５１とは、回動可能に連結されているので、光学フィルター５２および遮蔽部５１を互いに滑らかに屈曲させることが可能となる。よって、使用者は、適正な操作力でレンズカバー５を第１閉塞状態から第２閉塞状態への切換え、および第２閉塞状態から第１閉塞状態への切換えが可能となり、さらなる操作性向上が図れる。
【００４７】
（４）簡素な構成でレンズカバー５をスライド移動させることが可能なので、プロジェクター１は、製造工数や部品コストの増加を抑制してこのレンズカバーを搭載することが可能となる。また、レンズカバー５をスライド移動させる方向と交差する方向、つまり前後方向には、広いスペースを要しないので、プロジェクター１の大型化の抑制が図れる。
【００４８】
（５）プロジェクター１は、押圧スイッチ８１，８２を備えているので、レンズカバー５の第１閉塞状態および第２閉塞状態の位置を検知することができる。これによって、プロジェクター１は、第１閉塞状態において、制御部の指示によって光学フィルター５２に対応する画像信号を出力してさらに色合い等の画像品質が向上した画像光の投写が可能となる。つまり、プロジェクター１は、第１閉塞状態において、光学フィルター５２による光学的処理に加えて画像信号処理によって、より画像品質が向上した画像光の投写が可能となる。また、プロジェクター１は、第２閉塞状態において、光源３１１の光量を低減して省電力化を図ったり、暗い画像光を投写する状態にしてレンズカバー５の温度上昇の抑制を図ったりすることができる。
【００４９】
（６）プロジェクター１は、使用されない際に、レンズカバー５が第２閉塞状態に切り換えられることによって、投写用開口部２１１が遮蔽部５１にて閉塞されるので、投写レンズ３６が保護されると共に、外装筐体２内への塵埃の侵入が抑制される。さらに、プロジェクター１は、第２閉塞状態のみならず、第１閉塞状態においても光学フィルター５２によって投写用開口部２１１が閉塞されるので、画像品質を向上した画像光を投写する場合にも投写レンズ３６が保護されると共に、外装筐体２内への塵埃の侵入が抑制される。
【００５０】
（第２実施形態）
次に、第２実施形態に係るプロジェクター１について、図面を参照して説明する。
以下の説明では、第１実施形態と同様の構造および同様の部材には、同一符号を付し、その詳細な説明は省略または簡略化する。
本実施形態のプロジェクター１は、第１実施形態のレンズカバー５と構成の異なるレンズカバー５０を備えている。
図５は、レンズカバー５０を模式的に示す平面図であり、外装筐体２に配置された状態を前方から見た図である。
レンズカバー５０は、図５に示すように、光学フィルター５２、フィルター保持部５３０および遮蔽部５１０を有し、第１実施形態のレンズカバー５と同様に、左右方向（±Ｘ方向）にスライド移動可能に構成されている。
【００５１】
フィルター保持部５３０は、合成樹脂製で、光学フィルター５２の外周を保持するように枠状に形成され、中央部には、投写画像光が通過可能な大きさの貫通孔５３１０が設けられている。また、フィルター保持部５３０の上端には、レンズカバー５０が操作される操作部５５が形成されている。光学フィルター５２は、貫通孔５３１０を覆い、外周縁部がフィルター保持部５３０に粘着剤を介して取り付けられている。
遮蔽部５１０は、投写画像光を遮蔽可能な可撓性を有する部材で、平面視矩形の板状に形成されている。遮蔽部５１０は、左端部がフィルター保持部５３０の右端部に熱溶着等で取り付けられ、光学フィルター５２の右方（＋Ｘ方向）に並設されている。
レンズカバー５０は、第１実施形態のレンズカバー５と同様に、アッパーケース２１の内側に配置され、外装筐体２に設けられたガイドに沿って移動される。
【００５２】
ここで、レンズカバー５０の動作について説明する。
図６は、レンズカバー５０の動作を説明するための模式図であり、レンズカバー５０近傍のプロジェクター１を上方から見た図である。具体的に、図６（ａ）は、開放状態を示す図、図６（ｂ）は、第２閉塞状態を示す図、図６（ｃ）は、第１閉塞状態を示す図である。なお、図６は、各構成要素を図面上で認識され得る程度の大きさとするため、各構成要素の寸法や比率を実際のものとは適宜異ならせてある。
【００５３】
レンズカバー５０は、図６（ａ）に示すように、開放状態において、遮蔽部５１０が光学フィルター５２の右方（＋Ｘ方向）に位置し、遮蔽部５１０および光学フィルター５２が左右方向に沿う状態で投写用開口部２１１の左方（−Ｘ方向）に配置される。そして、レンズカバー５０は、操作部５５が操作され、遮蔽部５１０が投写用開口部２１１を閉塞する状態までスライド移動されると、図６（ｂ）に示すように、第２閉塞状態となる。
【００５４】
レンズカバー５０は、第２閉塞状態からさらに右方（＋Ｘ方向）にスライド移動されると、遮蔽部５１０が屈曲されながら移動される。具体的に、遮蔽部５１０は、右側の端部５１０１が外装筐体２の内壁に当接することによって後方（−Ｙ方向）に撓められて屈曲する。そして、レンズカバー５０は、右方に移動されるにしたがって遮蔽部５１０の屈曲する個所が徐々に左方に移動、つまり端部５１０１が徐々に後方に移動する。そして、レンズカバー５０は、光学フィルター５２が投写用開口部２１１を閉塞する状態まで移動されると、図６（ｃ）に示すように、第１閉塞状態となる。
【００５５】
なお、図示は省略したが、外装筐体２内には、第１実施形態と同様に、押圧スイッチ８１，８２が配置されている。そして、第２閉塞状態において、押圧スイッチ８１は、フィルター保持部５３０によって押圧されてオン状態となり、制御部は、光源装置３１の光量を低減したり、全黒の画像光を投写したりする制御を実施する。そして、第１閉塞状態において、押圧スイッチ８１，８２は、フィルター保持部５３０によって押圧されてそれぞれオン状態となり、制御部は、画像品質を向上させるための画像信号、例えば、光学フィルター５２に対応する予め設定されたガンマ補正値を出力させる制御を行う。
【００５６】
レンズカバー５０は、第１閉塞状態から左方（−Ｘ方向）にスライド移動されると、遮蔽部５１０の屈曲する個所が徐々に右方に移動し、遮蔽部５１０が屈曲された状態から光学フィルター５２および遮蔽部５１０が左右方向に沿う状態となって第２閉塞状態、開放状態の順で切り換えられる。
このように、レンズカバー５０は、遮蔽部５１０および光学フィルター５２が並設され、スライド移動されることによって、開放状態、第１閉塞状態および第２閉塞状態が切り換えられる。そして、レンズカバー５０は、第１閉塞状態において、遮蔽部５１０が屈曲されて配置される。
【００５７】
以上説明したように、本実施形態のプロジェクター１によれば、第１実施形態の効果に加えて、以下の効果を得ることができる。
（１）遮蔽部５１０は、可撓性を有する部材で形成されているので、第１閉塞状態において遮蔽部を撓ませて屈曲させることができる。これによって、簡素な構成でレンズカバー５０を屈曲可能となるように構成することができる。よって、プロジェクター１は、大型化が抑制されると共に、製造工数や部品コストの増加を抑制してこのレンズカバーを搭載することが可能となる。
【００５８】
（２）レンズカバー５０は、開放状態、第２閉塞状態、第１閉塞状態の順で状態が切り換えられるように構成されているので、第１閉塞状態を経ることなく、開放状態と第２閉塞状態とが切り換えられる。
【００５９】
（変形例）
なお、前記実施形態は、以下のように変更してもよい。
第１実施形態のレンズカバー５は、光学フィルター５２が遮蔽部５１に対して屈曲されるように構成されているが、遮蔽部５１が光学フィルター５２に対して屈曲されるように構成してもよい。
【００６０】
第２実施形態のレンズカバー５０は、遮蔽部５１０が可撓性を有する部材で形成されているが、光学フィルター５２を可撓性を有する部材で形成してもよい。また、光学フィルター５２および遮蔽部５１０の双方を可撓性を有する部材で形成するように構成してもよい。
【００６１】
前記実施形態のプロジェクター１は、２つの検知部（押圧スイッチ８１，８２）を備え、第１閉塞状態および第２閉塞状態の位置を検知するように構成されているが、検知部を１つ備え、第２閉塞状態の位置のみを検知するように構成してもよい。また、検知部は、押圧スイッチに限らず、フォトセンサーや磁気センサー等を用いてもよい。
【００６２】
前記実施形態の光学フィルター５２は、１つで構成されているが、互いに異なる波長領域の光を弱める複数の光学フィルターで構成し、それぞれの光学フィルター５２が個別に投写用開口部２１１を閉塞するように構成してもよい。
【００６３】
前記実施形態のレンズカバー５，５０は、手動操作によって移動するように構成されているが、モーター等を用いて電動によって移動するように構成してもよい。
【００６４】
前記実施形態のプロジェクター１は、光変調装置として透過型の液晶パネル３５２を用いているが、反射型液晶パネルを利用したものであってもよい。また、光変調装置は、マイクロミラーアレイを用いたデバイス等を使用したものであってもよい。
【００６５】
光源３１１は放電型のランプに限らず、その他の方式のランプや発光ダイオード等の固体光源で構成してもよい。
【符号の説明】
【００６６】
１…プロジェクター、２…外装筐体、３…光学ユニット、５，５０…レンズカバー、２１…アッパーケース、２２…ロアーケース、３５…電気光学装置、３６…投写レンズ、５２…光学フィルター、５３，５３０…フィルター保持部、８１，８２…押圧スイッチ、２１１…投写用開口部、３１１…光源、３５２…液晶パネル、５１，５１０…遮蔽部。
【図１】
2010217489.tif 000003
【図２】
2010217489.tif 000004
【図３】
2010217489.tif 000005
【図４】
2010217489.tif 000006
【図５】
2010217489.tif 000007
【図６】
2010217489.tif 000008